(57)【特許請求の範囲】
【請求項１】
移動端末がネットワークを介して情報提供サーバにアクセスし、接続対象として登録されている情報処理端末の一覧を、前記移動端末の画面表示するステップと、
前記移動端末によって前記情報処理端末の一覧から選択された接続対象の情報処理端末の情報を、前記移動端末から前記情報提供サーバに与えるステップと、
前記情報提供サーバが、前記移動端末の情報と、前記移動端末で選択された情報処理端末の情報を呼接続サーバに与えるステップと、
前記呼接続サーバの制御を受けて、前記移動端末が前記情報処理端末と通信接続するステップと、
を含む、ことを特徴とする移動端末と情報処理端末との接続方法。
【請求項２】
移動端末が移動体通信網を介してインターネットのＷｅｂサーバにアクセスし、前記Ｗｅｂサーバは、前記Ｗｅｂサーバが接続されるＤＢ（データベース）サーバに予め登録されている接続対象の情報処理端末の一覧を取得し、前記接続対象の情報処理端末の一覧を送信して前記移動端末に画面表示するステップと、
前記移動端末によって前記接続対象の情報処理端末の一覧から選択された接続対象の情報処理端末の情報を、前記移動端末から前記Ｗｅｂサーバに与え、この情報を受けて、前記Ｗｅｂサーバは、前記移動端末の情報と、前記ＤＢサーバに登録されている、前記情報処理端末の情報を、呼接続サーバに与えるステップと、
前記呼接続サーバは、前記情報処理端末のアライブ確認を行ったのち、前記移動端末に接続指示を行うステップと、
前記移動端末に接続された前記情報処理端末に前記移動端末からログインするステップと、
を含む、ことを特徴とする移動端末と情報処理端末との接続方法。
【請求項３】
移動端末からＷｅｂサーバの専用ＵＲＬ（uniform  resource  locator）にログインするステップと、
前記ログインの認証がなされ、接続が許可された場合、前記Ｗｅｂサーバが接続するＤＢ（データベース）サーバに予め登録されている接続対象のＰＣ（パーソナルコンピュータ）端末の一覧の情報を前記Ｗｅｂサーバが前記移動端末に送信し前記移動端末に画面表示するステップと、
前記移動端末によって前記接続対象のＰＣ端末の一覧から選択された接続対象のＰＣ端末の情報を、前記移動端末から前記Ｗｅｂサーバに与え、この情報を受けて、前記Ｗｅｂサーバは、前記移動端末の情報と、前記ＤＢサーバに登録されている、選択された前記ＰＣ端末の情報を呼接続サーバに与えるステップと、
前記呼接続サーバは、前記ＰＣ端末のアライブ確認を行ったのち、前記移動端末に接続指示を行うステップと、
前記移動端末によって前記ＰＣ端末との接続が選択された場合に、前記ＰＣ端末に自動接続するステップと、
前記移動端末に接続された前記ＰＣ端末に、前記移動端末からログインするステップと、
を含み、前記端末間でのデータ共有及び／又はメール閲覧を可能としている、ことを特徴とする移動端末によるＰＣ遠隔操作方法。
【請求項４】
前記ＰＣ端末の出力情報を、そのまま、前記移動端末の画面に表示させるか、あるいは、前記ＰＣ端末の出力情報を、前記Ｗｅｂサーバ経由で、前記移動端末の画面に表示させる、ことを特徴とする請求項３記載の移動端末によるＰＣ遠隔操作方法。
【請求項５】
前記移動端末と前記ＰＣ端末に、共通のＯＳ（operating  system）がインストールされている場合には、ネットワークドライブの割り当てを行うことで、データ共有が可能とされ、
ＯＳが一致しない場合は、ディレクトリ／ファイルをツリー表示させる、ことを特徴とする請求項３記載の移動端末によるＰＣ遠隔操作方法。
【請求項６】
前記Ｗｅｂサーバ経由で通信し、前記Ｗｅｂサーバ上にて、前記ＰＣ端末のディレクトリ／ファイルを前記移動端末の画面にツリー表示させる、ことを特徴とする請求項５記載の移動端末によるＰＣ遠隔操作方法。
【請求項７】
移動端末が、ネットワークを介して情報提供サーバにアクセスし、接続対象として登録されている情報処理端末の一覧を画面表示する手段と、
前記移動端末は、その画面上に表示された前記情報処理端末の一覧から、接続対象の情報処理端末を選択する手段と、を備え、
前記情報提供サーバが、前記移動端末の情報と、前記移動端末で選択された情報処理端末の情報を呼接続サーバに与える手段を備え、
前記移動端末が、前記呼接続サーバの制御を受け、前記情報処理端末と通信接続する、ことを特徴とする移動端末と情報処理端末との通信接続システム。
【請求項８】
インターネット上のＷｅｂアクセス機能を有する移動端末と、
Ｗｅｂサーバと、
前記Ｗｅｂサーバに接続され、移動端末と情報処理端末とを接続指示する呼接続サーバと、
前記Ｗｅｂサーバに接続され、ユーザの顧客情報、及び情報処理端末情報をデータベース管理するＤＢ（データベース）サーバと、
を備え、
前記移動端末からアクセスされた前記Ｗｅｂサーバは、前記ＤＢサーバに予め登録されている接続対象の情報処理端末の一覧を取得し、前記移動端末に前記一覧情報を送信し、前記移動端末に画面表示させる手段と、
前記移動端末によってその画面上に表示された情報処理端末の一覧の中から情報処理端末が選択された場合、この情報を受けて、前記Ｗｅｂサーバは、前記移動端末の情報と、前記ＤＢサーバに登録されている、前記選択された情報処理端末の情報を呼接続サーバに与える手段と、
を備え、
前記呼接続サーバは、前記選択された情報処理端末のアライブ確認が行えた場合、前記移動端末に接続指示を行い、
前記移動端末は前記選択された情報処理端末に自動接続及びログインを行い、前記端末間でのデータ共有及び／又はメール閲覧を含む操作を行うことを可能としてなる、ことを特徴とする移動端末による情報処理端末の遠隔操作システム。
【請求項９】
移動端末と、
前記移動端末とインターネットを介して接続されるサーバと、
ＰＣ（パーソナルコンピュータ）端末と、
を備え、
前記サーバは、ユーザが移動端末よりアクセスする専用のＵＲＬ（uniform  resource  locator）を持ち、ユーザ認証を制御し、接続先ＰＣ端末情報を含むユーザ専用ページを表示させるＷｅｂサーバと、
移動端末とＰＣ端末とを接続指示する呼接続サーバと、
ユーザの顧客情報、及びＰＣ端末情報をデータベース管理するＤＢ（データベース）サーバと、
を備え、
前記ＰＣ端末には、接続許可とデータ共有許可用のアプリケーションがインストールされており、
前記移動端末は、前記Ｗｅｂサーバの専用ＵＲＬにログインし、ログインの認証がなされ、接続が許可された場合、前記ＤＢサーバに予め登録されている接続対象のＰＣ端末の一覧の情報を前記Ｗｅｂサーバが前記移動端末に送信して前記移動端末に画面表示し、
前記Ｗｅｂサーバは、前記移動端末の画面上に表示されたＰＣ端末の一覧の中から、前記移動端末によってＰＣ端末が選択された場合、この情報を受けて、前記移動端末の情報と、前記ＤＢサーバに登録されている前記選択されたＰＣ端末の情報を呼接続サーバに与え、
前記呼接続サーバは、前記選択されたＰＣ端末のアライブ確認が行えた場合、
前記移動端末に接続指示を行い、
前記移動端末が画面上から接続実行を選択すると、前記選択されたＰＣ端末に接続し、
前記移動端末から前記ＰＣ端末にログインし、前記ログインの認証が行われた後、前記端末間でのデータ共有及び／又はメール閲覧を含む操作を行うことが可能とされている、ことを特徴とする、移動端末によるＰＣ遠隔操作システム。
【請求項１０】
前記ＰＣ端末の出力情報を、そのまま、前記移動端末の画面に表示させるか、あるいは、前記ＰＣ端末の出力情報を、前記Ｗｅｂサーバ経由で、前記移動端末の画面に表示させる、ことを特徴とする請求項９記載の移動端末によるＰＣ遠隔操作システム。
【請求項１１】
前記移動端末と前記ＰＣ端末に、共通のＯＳ（operating  system）がインストールされている場合には、ネットワークドライブの割り当てを行うことで、データ共有が可能とされ、ＯＳが一致しない場合は、ディレクトリ／ファイルをツリー表示させる、ことを特徴とする請求項９記載の移動端末によるＰＣ遠隔操作システム。
【請求項１２】
前記Ｗｅｂサーバ経由で通信し、前記Ｗｅｂサーバ上にて、前記ＰＣ端末のディレクトリ／ファイルを、前記移動端末の画面にツリー表示させる、ことを特徴とする請求項１１記載の移動端末によるＰＣ遠隔操作システム。
【発明の詳細な説明】
【０００１】
【発明の属する技術分野】
本発明は、情報端末のネットワーク接続技術に関し、特に、移動端末によるＰＣ（パーソナルコンピュータ）の通信接続及び遠隔操作技術に関する。
【０００２】
【従来の技術】
近年、インターネットの普及が急成長しており、今後も、移動端末やＳＯ／ＨＯ（small  office  home  office）を主流としたインターネット環境の発展が見込まれる。
【０００３】
このため、移動端末と、ＳＯ／ＨＯとを接続し、双方の情報共有ができたり、移動端末から様々なＰＣ端末を遠隔操作できるような仕組みが必要となる。
【０００４】
また、移動端末へのメールの転送や、ＦＴＰ（file transfer protocol）によるファイルの転送等、移動端末への着信となる片方向データ通信は、データを移動端末にダウンロードするため、読み込みに時間がかかる。この場合、移動端末から、ＰＣ端末のデータやメールの共用が可能であれば、このような転送（ダウンロード）は不要とされる。なお、移動端末と情報提供サーバとの情報のやりとりについては、例えば特開２０００−１８１８６２号公報、特開２０００−３４９８１９号公報等の刊行物も参照される。
【０００５】
【発明が解決しようとする課題】
したがって、本発明が解決しようとする課題は、移動端末とＰＣ（パーソナルコンピュータ）端末との接続操作を容易化し、双方での情報共有を可能とし、移動端末から様々なＰＣ端末を遠隔操作可能とするシステム及び方法を提供することにある。
【０００６】
【課題を解決するための手段】
上記課題を解決するための手段を提供する本発明は、その一つのアスペクトにおいて、移動端末がネットワークを介して情報提供サーバにアクセスして接続先の情報処理端末一覧を前記移動端末の画面表示し、前記移動端末の画面上に表示された情報処理端末一覧から接続対象の情報処理端末をユーザが選択入力し、前記情報提供サーバが前記移動端末の情報と前記移動端末で選択された情報処理端末の情報を呼接続サーバに与え、前記呼接続サーバの接続指示により、前記移動端末が前記情報処理端末に通信接続する。
【０００７】
本発明においては、ユーザが移動端末からＷｅｂサーバの専用ＵＲＬ（uniform  resource  locator）にログインし、前記ログインの認証がなされ、接続が許可された場合、前記Ｗｅｂサーバが接続するＤＢ（データベース）サーバに予め登録されている接続対象のＰＣ（パーソナルコンピュータ）端末の一覧の情報を前記Ｗｅｂサーバが前記移動端末に送信し前記移動端末に画面表示し、前記ユーザが前記移動端末の画面に表示されるＰＣ端末一覧の中から接続対象のＰＣ端末を選択した場合、この情報を受けて、前記Ｗｅｂサーバは、前記移動端末の情報と、前記ＤＢサーバに登録されている、選択された前記ＰＣ端末の情報を呼接続サーバに与え、前記呼接続サーバは、前記ＰＣ端末のアライブ確認を行ったのち、前記移動端末に接続指示を行い、前記ユーザが前記移動端末から前記ＰＣ端末との接続を選択した場合に、前記ＰＣ端末に自動接続し、前記ユーザが前記移動端末に接続された前記ＰＣ端末に、前記移動端末からログインする。
【０００８】
【発明の実施の形態】
発明の実施の形態について説明する。本発明は、次世代携帯端末やＰＤＡ（personal  digital  assistants）、ノートＰＣ（personal  computer）などの移動端末において、インターネット（Ｗｅｂ）にアクセスすることにより、事前に登録しておいた接続対象ＰＣ端末に対し、接続を可能にし、遠隔で、ＰＣ上のデータ共有や、メールの閲覧を操作することができるようにしたものである。
【０００９】
図１において、ユーザは、自分の移動端末１０で、移動体通信網（Ｍｏｂｉｌｅ網）１１０、インターネット１００を介し会員専用ＵＲＬ（uniform  resource  locator）でＷｅｂサーバ２１にアクセスし、ログイン（ｌｏｇｉｎ）を行う。
【００１０】
本発明の一実施の形態において、ログイン認証（ログイン時に入力されたユーザＩＤ、パスワード認証）が成立すると、Ｗｅｂサーバ２１は、ＤＢサーバ２３に登録蓄積されているＰＣ端末の一覧を取得し、ＰＣ端末の一覧が移動端末１０の表示装置に画面表示される。ユーザは、移動端末１０において画面表示されたＰＣ端末の一覧の中から、接続したいＰＣ端末３０を選択して接続実行を行うと、Ｗｅｂサーバ２１からの情報を受けた呼接続サーバ２２の制御により、自動的にＰＣ端末３０と接続される。
【００１１】
次に、ユーザは、接続されたＰＣ端末３０に、ログインを行い、認証されると、移動端末１０から、ＰＣ端末３０上のデータ共有やメールの閲覧が可能になる。
【００１２】
本発明の一実施の形態において、ＰＣ端末３０の出力情報を、そのまま移動端末１０の画面に表示させるか、あるいはＷｅｂサーバ２１経由で、ＰＣ端末３０からの出力情報を、移動端末１０の画面に表示させるようにしてもよい。
【００１３】
例えば移動端末１０とＰＣ端末３０に、共通のＯＳ（operating  system）がインストールされている場合には、ネットワークドライブの割り当てを行うことで、データ共有が可能とされる。一方、ＯＳが一致しない場合は、ディレクトリ／ファイルをツリー表示させる。その際、Ｗｅｂサーバ２１経由で通信し、Ｗｅｂサーバ２１上にてＰＣ端末３０のディレクトリ／ファイルを移動端末１０の画面にツリー表示させるようにしてもよい。
【００１４】
【実施例】
本発明の実施例について図面を参照して以下に説明する。図１は、本発明の一実施例の構成を示す図である。図１を参照すると、この実施例は、ユーザが利用する移動端末１０と、Ｍｏｂｉｌｅ網１１０、インターネット１００を介しアクセスするサーバ２０と、接続先となるＰＣ端末３０と、を備えている。
【００１５】
移動端末１０は、次世代携帯端末（「ｉアプリ」等）等の携帯端末１０ａ、１０ｂ、ノートＰＣ１０ｃ、その他ＰＤＡなどＷｅｂにアクセス可能な端末よりなる。
【００１６】
次世代携帯端末には、Ｗｅｂ画面をクリック可能にするマウス機能や、電池の消耗を軽減する太陽電池の組み込みによる充電補助機能を有する。
【００１７】
サーバ２０には、Ｗｅｂサーバ２１、呼接続サーバ２２、及びＤＢサーバ２３が設けられている。
【００１８】
Ｗｅｂサーバ２１は、ユーザがアクセスする専用ＵＲＬ（uniform  resource  locator）を持ち、ユーザ認証やＳＳＬ（secure  socket  layer）によるセキュリティを制御し、接続先ＰＣ端末情報などユーザ専用ページを表示させるサーバである。
【００１９】
呼接続サーバ２２は、移動端末１０とＰＣ端末３０とを接続指示するサーバである。
【００２０】
ＤＢサーバ２３は、顧客情報、ＰＣ端末情報をデータベース管理するサーバである。
【００２１】
ＰＣ端末３０は、オペレーティングシステムとして「Windows（登録商標）（登録商標）」（Microsoft社の商標）が動く一般のＰＣ端末に、接続許可とデータ共有許可用のアプリケーションがインストールされている端末である。好ましくは、ＳＯ／ＨＯ（small  office  home  office）や家庭ＰＣといった環境下で、常時接続、超省エネモードの機能を持つ。
【００２２】
次に、図２は、本発明の一実施例の動作を説明するための模式図である。図３は、本発明の一実施例のシーケンス動作を説明するための図である。図１乃至図３を参照して、本発明の一実施例の動作について説明する。
【００２３】
ユーザは、自分の移動端末１０にて、Ｗｅｂサーバ２１にアクセスし、専用ＵＲＬにログイン（ｌｏｇｉｎ）を行う（Ｓ１００）。
【００２４】
Ｗｅｂサーバ２１は、ユーザＩＤとパスワード入力を行うｌｏｇｉｎ画面を表示する（Ｓ２１１）。
【００２５】
ｌｏｇｉｎ画面より、ユーザは、移動端末１０にてユーザＩＤとパスワードを入力する（Ｓ１０１）。
【００２６】
Ｗｅｂサーバ２１は、ＤＢサーバ２３に顧客情報を問い合わせ、ログイン認証と接続許可を行う（Ｓ２１２）。
【００２７】
ＤＢサーバ２３で接続許可と判定された場合（Ｓ２３１）、Ｗｅｂサーバ２１は、ユーザ専用画面を開く（Ｓ２１３）。
【００２８】
ユーザ専用画面のメニューより、ユーザは、移動端末１０にて「接続ＰＣ端末」を選択する（Ｓ１０２）。
【００２９】
Ｗｅｂサーバ２１は、ユーザの選択指示を受け、ＤＢサーバ２３に通知し、ＤＢサーバ２３は、ＰＣ端末一覧のデータを索引し、登録されている接続先のＰＣ端末一覧情報をＷｅｂサーバ２１に送信し（Ｓ２３２）、接続先ＰＣ端末一覧を表示する（Ｓ２１４）。
【００３０】
接続先のＰＣ端末一覧画面より、ユーザは、移動端末１０にて接続したいＰＣ端末３０を選択する（Ｓ１０３）。
【００３１】
Ｗｅｂサーバ２１は、移動端末１０の情報（例えばＩＰアドレス等）を呼接続サーバ２２に与え、さらに、ＤＢサーバ２３に、移動端末１０で選択されたＰＣ端末３０の情報（例えばＩＰアドレス、プロトコル／ポート等）を索引させて取得し（Ｓ２３４）、呼接続サーバ２２にその情報を渡す。
【００３２】
呼接続サーバ２２は、ＰＣ端末３０が生きているか（接続状態にあるか）のアライブ（alive）確認を行い（Ｓ２２１，Ｓ３０１）、アライブ回答を受けると、移動端末１０に接続を実行させる指示を送信する（Ｓ２２２）。なお、ＰＣ端末３０は、常時接続でなくとも、呼接続サーバ２２からアライブ確認を受け取った際に、接続状態に設定する構成としてもよい。
【００３３】
ユーザの移動端末１０には、「接続ＹＥＳ／ＮＯ」が画面表示され、「ＹＥＳ」が選択されると（Ｓ１０４）、移動端末１０は自動的にＰＣ端末３０と直接接続する。（Ｓ２３３）
【００３４】
次に、ＰＣ端末３０と接続された移動端末１０は、ＰＣ端末にｌｏｇｉｎするためのユーザＩＤとパスワードを入力する（Ｓ１０５）。
【００３５】
ＰＣ端末３０は、ｌｏｇｉｎ認証を行い接続許可をする（Ｓ３０２）。接続許可がなされると、移動端末１０は、ＰＣ端末３０上のデータ共有やメールの閲覧が可能となり（Ｓ４００）、いつでもどこでも、必要となるデータが閲覧・操作できる。
【００３６】
データ共有の仕組みとしては、移動端末が、ＰＤＡやノートＰＣのようにＰＣ端末と共通のＯＳ（operating  system）がインストールされている場合には、ネットワークドライブの割り当てを行うことで、データ共有が可能になる。
【００３７】
携帯端末のようにＯＳが一致しない場合は、ディレクトリ／ファイルをツリー表示させる。
【００３８】
ＰＣ端末３０のアプリケーションでツリー表示が難しい場合には、例えば図４に示すように、Ｗｅｂサーバ２１経由で通信し、Ｗｅｂサーバ２１上にてツリー表示を実現させる。
【００３９】
ＰＣ端末３０のアプリケーションの画面出力を、Ｗｅｂサーバ２１を介して、移動端末１０のブラウザ画面上に表示するようにしてもよい。また、移動端末１０からＰＣ端末３０にログインしメールサーバからＰＣ端末３０あてのメールを読み出す等してもよい。
【００４０】
この実施例によれば、移動端末１０から、ＳＯ／ＨＯや家庭のＰＣ端末に、いつでもどこからでもアクセスができ、データやメールの閲覧が可能となる。例えば、ユーザは、ユーザが携帯する移動端末１０から、ＳＯ／ＨＯや家庭、すなわち同一又は異なる設置場所の複数のＰＣ端末３０に接続して、データやメールの閲覧等、及び各種操作が可能となり、利便性を向上する。
【００４１】
携帯端末の場合を例にとると、例えばキャリア（移動体通信事業者）にて、サーバ環境を構築し、遠隔接続したいＰＣ端末の登録料を一ＰＣ端末あたり１００円といった定額（月額）のメニューにてサービスを提供するようにしてもよい。プロバイダ（インターネット接続事業者）で上記サービスを提供してもよい。
【００４２】
家庭に設置されるＰＣ端末の機能がさらに拡大し、家電や公共料金のシステム管理を行う構成とされた場合、本発明によれば、ユーザは、移動端末にて、外から、家庭内に設置されているＰＣ端末に接続し、遠隔で、家電等の管理を行うことが可能となる。
【００４３】
【発明の効果】
以上説明したように、本発明によれば、移動端末からＳＯ／ＨＯや家庭のＰＣ端末に、いつでもどこからでもアクセスができ、データやメールの閲覧が可能となる。
【図面の簡単な説明】
【図１】本発明の一実施例の構成を示す図である。
【図２】本発明の一実施例の動作を説明するための図である。
【図３】本発明の一実施例のシーケンス動作を示す図である。
【図４】本発明の一実施例の変形例を説明するための図である。
【符号の説明】
１０  移動端末
２０  サーバ
２１  Ｗｅｂサーバ
２２  呼接続サーバ
２３  ＤＢサーバ
３０  ＰＣ端末
１００  インターネット
１１０  Ｍｏｂｉｌｅ網（移動体通信網）
【図１】
0003743314.tif 000002
【図２】
0003743314.tif 000003
【図３】
0003743314.tif 000004
【図４】
0003743314.tif 000005